(57)【要約】【課題】複数のプロジェクタに対して効率的に設定情報を設定することができるプロジェクタ設定システムおよびプログラムを提供することをその課題とする。【解決手段】複数のプロジェクタと、これらプロジェクタを制御する制御装置とから成るプロジェクタ設定システムであり、制御装置が、プロジェクタの各設定項目に対する各設定値を設定し（Ｓ０１）、設定した各設定値に基づいて同一の設定情報を複数のプロジェクタに送信する（Ｓ０３）。【選択図】図４
2007226052.tif 000002
【特許請求の範囲】
【請求項１】
複数のプロジェクタと、当該プロジェクタを制御する制御装置と、から成るプロジェクタ設定システムであって、
前記制御装置は、
前記プロジェクタの各設定項目に対する各設定値を設定する設定手段と、
前記設定手段により設定した各設定値に基づいて、同一の設定情報を前記複数のプロジェクタに送信する設定情報送信手段と、を備えたことを特徴とするプロジェクタ設定システム。
【請求項２】
前記複数のプロジェクタは、同一の映像を投写することを特徴とする請求項１に記載のプロジェクタ設定システム。
【請求項３】
前記各プロジェクタの投写映像は、１の映像を分割した分割映像であり、当該各プロジェクタが前記分割映像をそれぞれ投写することにより、１の投写映像が構成されることを特徴とする請求項１に記載のプロジェクタ設定システム。
【請求項４】
前記設定項目には、投写映像の画質を調整するための画質調整項目が含まれるとともに、前記各プロジェクタは、全白画面投写時および／または全黒画面投写時の照度を示す照度情報を記憶しており、
前記制御装置は、
前記各プロジェクタに記憶された各照度情報を取得する照度情報取得手段、をさらに備え、
前記設定手段は、取得した前記各照度情報の最小値および／または最大値に基づいて、前記画質調整項目の白レベルおよび／または黒レベルを設定することを特徴とする請求項１ないし３のいずれか１項に記載のプロジェクタ設定システム。
【請求項５】
前記複数のプロジェクタは、メインプロジェクタと、当該メインプロジェクタを除くサブプロジェクタと、から構成され、
前記メインプロジェクタは、
前記各設定値を設定する設定手段、を備えるとともに、
前記制御装置は、
前記設定手段に代えて、前記メインプロジェクタから前記各設定値を示す設定情報を取得する設定情報取得手段、をさらに備え、
前記設定情報送信手段は、取得した前記設定情報を前記サブプロジェクタに送信することを特徴とする請求項１ないし３のいずれか１項に記載のプロジェクタ設定システム。
【請求項６】
前記制御装置は、何れか１の前記プロジェクタで構成されることを特徴とする請求項１ないし４のいずれか１項に記載のプロジェクタ設定システム。
【請求項７】
コンピュータに、請求項１ないし６のいずれか１項に記載のプロジェクタ設定システムにおける各手段を機能させることを特徴とするプログラム。
【発明の詳細な説明】
【技術分野】
【０００１】
本発明は、複数のプロジェクタに対して設定情報を一括設定することができるプロジェクタ設定システムおよびプログラムに関するものである。
【背景技術】
【０００２】
従来、映像をスクリーン等に表示するプロジェクタが広く普及している（例えば特許文献１参照）。この種のプロジェクタでは、明るさやコントラストといった画質調整や、映像の表示位置、並びに使用言語等、数多くの設定項目があり、装置を使用するためにはこれら各項目に対し適宜設定を行う必要がある。従って、複数の装置を設置する場合には、設定に要する手間や時間は設置する装置台数に比例することとなり、非常に非効率的であった。
【特許文献１】特開２０００−３５６９７９号公報
【発明の開示】
【発明が解決しようとする課題】
【０００３】
本発明は、上記の問題に鑑み、複数のプロジェクタに対して効率的に設定情報を設定することができるプロジェクタ設定システムおよびプログラムを提供することをその課題とする。
【課題を解決するための手段】
【０００４】
本発明のプロジェクタ設定システムは、複数のプロジェクタと、当該プロジェクタを制御する制御装置と、から成るプロジェクタ設定システムであって、制御装置は、プロジェクタの各設定項目に対する各設定値を設定する設定手段と、設定手段により設定した各設定値に基づいて、同一の設定情報を複数のプロジェクタに送信する設定情報送信手段と、を備えたことを特徴とする。
【０００５】
この構成によれば、制御装置において設定した同一の設定情報を各プロジェクタに送信することにより、各プロジェクタには設定情報が記憶されることから、複数のプロジェクタを設置する場合であっても、制御装置において設定情報を１度設定するだけで、複数プロジェクタの設定処理を完了することができる。すなわち、制御装置において複数プロジェクタの設定情報を一括設定することが可能となり、効率的に複数のプロジェクタの設定処理を行うことができる。
【０００６】
上記のプロジェクタ設定システムにおいて、複数のプロジェクタは、同一の映像を投写することが好ましい。
【０００７】
この構成によれば、同一の投写映像を投写する複数プロジェクタが同一の設定情報を共有することにより、各プロジェクタ間に発生する例えば色むら等を未然に防止することが可能である。
【０００８】
上記のプロジェクタ設定システムにおいて、各プロジェクタの投写映像は、１の映像を分割した分割映像であり、当該各プロジェクタが分割映像をそれぞれ投写することにより、１の投写映像が構成されることが好ましい。
【０００９】
この構成によれば、複数のプロジェクタを用いて投写した映像を、例えば大画面のスクリーンに１つの映像のように見せる場合、これら複数のプロジェクタが同一の設定情報を共有することにより、各プロジェクタ間に発生する例えば色むら等を未然に防止することが可能である。
【００１０】
上記のプロジェクタ設定システムにおいて、設定項目には、投写映像の画質を調整するための画質調整項目が含まれるとともに、各プロジェクタは、全白画面投写時および／または全黒画面投写時の照度を示す照度情報を記憶しており、制御装置は、各プロジェクタに記憶された各照度情報を取得する照度情報取得手段、をさらに備え、設定手段は、取得した各照度情報の最小値および／または最大値に基づいて、画質調整項目の白レベルおよび／または黒レベルを設定することが好ましい。
【００１１】
この構成によれば、制御装置は各プロジェクタの照度情報を反映して画質調整（白レベル、黒レベル）の設定を行うことができる。具体的には、全白画面投写時の照度が一番低いプロジェクタを基準として白レベルを決定したり、反対に全黒画面投写時の照度が一番高いプロジェクタを基準として黒レベルを決定したりすることが可能である。すなわち、制御装置は各プロジェクタの個体差を考慮しながら設定値を設定するので、各プロジェクタ間に発生する色むら等をさらに確実に防止することが可能となる。
【００１２】
上記のプロジェクタ設定システムにおいて、複数のプロジェクタは、メインプロジェクタと、当該メインプロジェクタを除くサブプロジェクタと、から構成され、メインプロジェクタは、各設定値を設定する設定手段、を備えるとともに、制御装置は、設定手段に代えて、メインプロジェクタから各設定値を示す設定情報を取得する設定情報取得手段、をさらに備え、設定情報送信手段は、取得した設定情報をサブプロジェクタに送信することが好ましい。
【００１３】
この構成によれば、メインプロジェクタにおいて設定した同一の設定情報を、制御装置を介して各プロジェクタに送信することにより、各プロジェクタには設定情報が記憶されることから、複数のプロジェクタを設置する場合であっても、メインプロジェクタにおいて設定情報を１度設定するだけで、複数プロジェクタの設定処理を完了することができる。すなわち、メインプロジェクタにおいて複数プロジェクタの設定情報を一括設定することが可能となり、効率的に複数のプロジェクタの設定処理を行うことができる。さらに、メインプロジェクタにおいて設定情報を設定することができるので、制御装置に設定情報を設定する手段を設ける必要がない。
【００１４】
上記のプロジェクタ設定システムにおいて、制御装置は何れか１の前記プロジェクタで構成されることが好ましい。
【００１５】
この構成によれば、制御装置を必要とすることなく複数のプロジェクタの設定情報を一括設定することができるので、１のプロジェクタについては制御装置と同等の装置構成が必要となるものの、全体的なシステムの装置構成は簡易化することができる。
【００１６】
本発明のプログラムは、コンピュータに、上記の何れか１に記載のプロジェクタ設定システムにおける各手段を機能させることを特徴とする。
【００１７】
このプログラムをコンピュータに実行させることにより、複数のプロジェクタに対して効率的に設定情報を設定することができるプロジェクタ設定システムを実現することができる。
【発明を実施するための最良の形態】
【００１８】
以下、本発明の一実施形態に係るプロジェクタ設定システムおよびプログラムについて添付の図面を参照しながら詳細に説明する。
【００１９】
図１は、本実施形態に係るプロジェクタ設定システム１のシステム構成図である。図示のようにプロジェクタ設定システム１は、複数のプロジェクタ１０と、この複数のプロジェクタ１０と例えばケーブル接続されるとともに、各プロジェクタ１０を制御する制御装置５０とから構成している。なお、本実施形態に係る複数のプロジェクタ１０は、１の映像を分割した分割映像を投写するものであり、各プロジェクタ１０がそれぞれ分割映像を同時に投写することによって１の映像が投写されるようになっている（図５参照）。
【００２０】
本実施形態に係るプロジェクタ１０は、液晶パネル２１を利用して画像を投写する液晶プロジェクタであり、図２に示すように、ユーザにより各種操作が行われる操作部１１と、制御装置５０と接続される接続部１２と、プロジェクタ１０に供給された映像信号を制御する映像信号制御部１３と、画像（映像）を投写する投写部２０と、これら各部を制御する制御部３０と、を備えている。
【００２１】
操作部１１は、リモコンやパネルキーによって構成されるものであり、ユーザによるプロジェクタ１０に対する各種指示等に用いられる。接続部１２は、ネットワークケーブル（図示省略）を介して制御装置５０と接続されるコネクタ等を有し、制御装置５０およびプロジェクタ１０の通信に関する制御を行う。なお、接続部１２は他にもＵＳＢコネクタや周辺機器を接続するためのコネクタ（ＲＳ−２３２Ｃ規格等）を有している。また、接続部１２は、制御部３０のサブＣＰＵ３４により制御されるものとなっている。
【００２２】
映像信号制御部１３は、例えば制御装置５０から供給された映像信号を入力し、プロジェクタ１０内部で処理可能な形式の映像データに変換する。そして、変換した映像データに対して、輝度調整、色バランス調整、コントラスト調整、シャープネス調整等の画質調整を行う。なお、この画質調整は制御部３０のＲＯＭ３２に記憶された設定情報に基づいて行われる。
【００２３】
投写部２０は、液晶パネル２１と、液晶パネル２１を制御する液晶パネル制御部２２と、投写光の光源となるランプ２３と、ランプ２３を駆動するランプ駆動部２４と、ランプ２３からの投写光（画像）をスクリーン上に拡大投写する投写レンズ２５と、投写レンズ２５を制御するレンズ制御部２６とを有している。
【００２４】
制御部３０は、プロジェクタ１０を統括制御するメインＣＰＵ３１と、上述の画質調整に関する設定情報を始め各種の設定情報が記憶される書換え可能なＲＯＭ３２と、メインＣＰＵ３１により各種処理を行う際の作業領域として用いられるＲＡＭ３３と、メインＣＰＵ３１の制御を補助するサブＣＰＵ３４と、を有している。
【００２５】
一方図１に示すように制御装置５０は、キーボードやマウスといった入力デバイス５１の他、ディスプレイ５２、ＣＰＵ５３、ＲＯＭ５４、ＲＡＭ５５、通信インターフェース５６、およびハードディスク５７等から構成され、これらはシステムバス５８により接続されている。ハードディスク５７には、プロジェクタ１０の設定情報を設定するためのプロジェクタ設定プログラム５９が保存されている。
【００２６】
ここで、制御装置５０のプロジェクタ設定プログラム５９による、プロジェクタ１０の設定情報を設定する処理について説明する。図３（ａ）は、プロジェクタ設定プログラム５９を起動することにより制御装置５０のディスプレイ５２に表示される設定メニュー画面Ｄ１を例示するものである。同図に示す設定メニュー画面Ｄ１には、画質調整に関する設定を行う画面に遷移する画質調整設定ボタン６１、映像に関する設定（映像の表示位置等）を行う画面に遷移する映像設定ボタン６２、プロジェクタ１０において台形補正の実行有無や音量調整等の設定を行う画面に遷移する一般設定ボタン６３、使用言語等、特殊な設定を行う画面に遷移する拡張設定ボタン６４、これら各画面において設定した設定情報を制御装置５０に接続されたプロジェクタ１０に一括送信する設定情報送信ボタン６５、がそれぞれ配置しており、各画面に遷移することにより各設定を行うことが可能となっている。
【００２７】
図３（ｂ）は、設定メニュー画面Ｄ１においてユーザが入力デバイス５１を用いて画質調整設定ボタン６１を選択することにより、制御装置５０のディスプレイ５２に表示された画質調整設定画面Ｄ２を例示している。図示するように、画質調整設定画面Ｄ２では、カラーモード、明るさ、コントラスト、シャープネス等、プロジェクタ１０がスクリーンに表示する画像の画質に関する様々な項目の設定をユーザが入力デバイス５１を用いて行い得るようになっている。なお、色むら自動調整ボタン６６については後述する。また、図示は省略するが、設定メニュー画面Ｄ１の映像設定ボタン６２、一般設定ボタン６３、拡張設定ボタン６４の選択により遷移する各設定画面においても同様に各種の設定を行うことができる。
【００２８】
そして、例えばユーザが入力デバイス５１を用いて設定メニュー画面Ｄ１に配置する設定情報送信ボタン６５を選択することにより、この動作をトリガとして各設定画面において設定された設定情報が制御装置５０に接続された複数のプロジェクタ１０に一括送信される。この制御について図４に示すフローチャートを参照し、順を追って説明する。
【００２９】
まず、上述した手順でユーザが制御装置５０においてプロジェクタ１０の設定情報を設定する（Ｓ０１）。次に、設定を完了し、ユーザが設定メニュー画面Ｄ１に配置する設定情報送信ボタン６５を選択すると（Ｓ０２）、設定されたプロジェクタ１０の設定情報がネットワーク接続された各プロジェクタ１０に一括送信される（Ｓ０３）。各プロジェクタ１０は、制御装置５０から設定情報を受信すると、受信した設定情報を制御部３０のＲＯＭ３２に保存する。より具体的には、制御部３０のサブＣＰＵ３４が接続部１２を介して設定情報を取得し、さらにメインＣＰＵ３１が取得した設定情報をＲＯＭ３２に保存する（何れも図２参照）。
【００３０】
すなわち、各プロジェクタ１０は制御装置５０から送信された同一の設定情報をＲＯＭ３２に保存するので、各プロジェクタ１０に保存される設定情報は全て同一の情報となる。上述の通り本実施形態に係る複数のプロジェクタ１０は、１の映像を分割した分割映像をそれぞれ投写するものであり（図５参照）、各プロジェクタ１０がそれぞれ分割映像を同時に投写することによって、１の映像が構成される。従って、これら複数のプロジェクタ１０が同一の設定情報を共有することにより、各プロジェクタ間に発生する色むら等を未然に防止することができるとともに、設定情報が制御装置５０から各プロジェクタ１０に一括送信されるので、非常に効率的に各プロジェクタ１０の設定を行うことが可能となる。
【００３１】
ところで、上述のように本実施形態に係るプロジェクタ１０は液晶パネル２１を利用する液晶プロジェクタ１０であり、各プロジェクタ１０が有する各液晶パネル２１間には製造段階でそれぞれ個体差が生じることが想定される。そして、この個体差に起因して各プロジェクタ１０が投写する画像間に色むらが発生する虞があるが、この色むらは各プロジェクタ１０が同一の設定情報を共有するだけでは解消することができない問題である。そこで制御装置５０は、液晶パネル２１の個体差に起因する色むらを解消するための制御を行う。以下、この制御について詳細に説明する。
【００３２】
図６に示すように、各プロジェクタ１０（図示では２台のみ表示）は全白画面投写時および全黒画面投写時の照度を示す照度情報（例えばルーメン値で表される数値情報）を、製造出荷時の段階でＲＯＭ３２内に記憶している。そして、制御装置５０は各プロジェクタ１０に記憶されたこの照度情報に基づいてプロジェクタ１０の画質調整に関する設定項目の一つである白レベルおよび黒レベルの値を設定する。
【００３３】
図７のフローチャートに示すように、制御装置５０は、ネットワークを介して各プロジェクタ１０の各照度情報を取得する（Ｓ１１）。そして、まず各プロジェクタ１０の全白画面投写時の照度を参照し（Ｓ１２）、全白画面投写時の照度が最小であるプロジェクタ１０の照度（全白画面投写時）を白レベル設定に対する基準値とする（Ｓ１３）。次に、各プロジェクタ１０の全黒画面投写時の照度を参照し（Ｓ１４）、全黒画面投写時の照度が最大であるプロジェクタ１０の照度（全黒画面投写時）を黒レベル設定に対する基準値とする（Ｓ１５）。そして、設定した各基準値に基づいて白レベルおよび黒レベルを設定する（Ｓ１６）。
【００３４】
例えば図６に示す例では、全白画面投写時の照度はプロジェクタＡと比較してプロジェクタＢの方が小さいことから、プロジェクタＢの全白画面投写時の照度が白レベル設定に対する基準値となる。一方、全黒画面投写時の照度はプロジェクタＢと比較してプロジェクタＡの方が大きいことから、プロジェクタＡの全黒画面投写時の照度が黒レベル設定に対する基準値となる。なお、この白レベルおよび黒レベル設定に関する制御は、例えば画質調整設定画面Ｄ２（図３（ｂ）参照）の色むら自動調整ボタン６６の選択をトリガとして実行されるものであり、設定された白レベルおよび黒レベルの設定値は、他の設定情報とともに各プロジェクタ１０に一括送信される。また、ユーザによる実行指示を必要とせず、例えば設定メニュー画面Ｄ１の設定情報送信ボタン６５の選択をトリガとして行われる必然的な処理としてもよい。また、当然ながら白レベル設定に対する基準値設定（図７；Ｓ１２およびＳ１３に該当）と黒レベル設定に対する基準値設定（図７；Ｓ１４およびＳ１５に該当）は順不同である。
【００３５】
この制御を行うことにより、各プロジェクタ１０が同一の設定情報を共有するだけでなく、制御装置５０が各プロジェクタの個体差を考慮しながら設定値（白レベルおよび黒レベル）を設定するので、各プロジェクタ間に発生する色むら等をさらに確実に防止することが可能となる。特に本実施形態に係る複数のプロジェクタ１０では、１の映像を分割した分割映像を同時に投写することから、僅かな色むらであってもスクリーンに投写された状態で違和感を与えてしまう虞が充分ある。従って、各プロジェクタの個体差を考慮しながら設定値（白レベルおよび黒レベル）を設定することは非常に有効である。
【００３６】
また、全白画面および全黒画面投写時の照度情報に加えて、中間調の画面投写時の照度情報を各プロジェクタ１０のＲＯＭ３２に記憶させておき、制御装置５０がこの情報に基づいて中間調の明るさに関する設定をさらに行ってもよい。また、各プロジェクタ１０が例えばＣＣＤカメラといった撮像手段を備えている場合には、この撮像手段により例えば赤色（Ｒ）、緑色（Ｇ）、青色（Ｂ）画面投写時の投写映像を撮像し、制御装置５０が各プロジェクタ１０の撮像データを取得してこれを解析することにより、中間調の色合いに関する設定をさらに行ってもよい。
【００３７】
以上説明したように、本実施形態に係るプロジェクタ設定システム１によれば、制御装置５０において複数プロジェクタの設定情報を一括設定することが可能となり、効率的に複数のプロジェクタの設定処理を行うことができる。
【００３８】
なお、制御装置５０において設定情報を設定する構成に代え、複数のプロジェクタ１０のうち任意の１のプロジェクタ１０であるメインプロジェクタにおいて設定情報を設定する構成でもよい。この場合、制御装置５０はメインプロジェクタから設定情報を取得し、メインプロジェクタを除く他のプロジェクタ（サブプロジェクタ）に対して取得した設定情報を一括送信することとなる。例えば、メインプロジェクタに予め設定情報を設定するアプリケーションが組み込まれている場合、制御装置５０にプロジェクタ設定プログラム５９をインストールする必要なく、複数のプロジェクタ１０の設定情報を一括設定することが可能となる。なお、メインプロジェクタ１０で設定情報を設定する場合には、ユーザはＯＳＤ画面（スクリーン上に表示される画面）に表示された設定画面において、操作部１１を用いて設定を行うこととなる。
【００３９】
また、必ずしも制御装置５０と複数のプロジェクタ１０全てがネットワーク接続されている必要はない。例えば制御装置５０と任意の１のプロジェクタとを１対１接続し、制御装置５０から順次設定情報を各プロジェクタ１０に送信する構成でもよい。このことは、制御装置５０に代えてメインプロジェクタにおいて設定情報を設定する場合にも該当する。
【００４０】
さらに、本実施形態に係るプロジェクタ設定システム１の装置構成として、制御装置５０を省略しメインプロジェクタおよびサブプロジェクタでプロジェクタ設定システム１を構成してもよい。この場合、メインプロジェクタにおいて設定情報を設定し、メインプロジェクタからサブプロジェクタへ設定情報が一括送信されることとなる。この構成によれば、メインプロジェクタについては制御装置と同等の装置構成が必要となるものの、全体的なシステムの装置構成は簡易化することができる。
【００４１】
また、設定した設定情報を任意の記録媒体に保存し、各プロジェクタ１０はこの記録媒体から設定情報を取得する構成でもよい。但しこの場合、設定情報を保存した記録媒体を各プロジェクタ１０に装着する処理は人為的な作業となる。
【００４２】
さらに、本実施形態では、複数のプロジェクタがそれぞれ１の映像を分割した分割映像を同時に投写することによって１の映像が投写されることを想定して説明したが、この構成に代え、各プロジェクタが同一の投写映像を投写する構成でもよい。また、それぞれ異なる投写映像を投写する複数のプロジェクタであっても、設定処理の効率化を目的として本実施形態に係るプロジェクタ設定システム１を適用することは有効である。
【００４３】
なお、上記の例に示したプロジェクタ設定システム１の各機能をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００４４】
また、上記の実施形態におけるプロジェクタ設定システム１の例によらず、装置構成や処理工程等について、本発明の要旨を逸脱しない範囲で、適宜変更も可能である。
【図面の簡単な説明】
【００４５】
【図１】プロジェクタ設定システムのシステム構成図である。
【図２】プロジェクタの装置構成図である。
【図３】プロジェクタの設定情報を設定する各画面を例示する図である。
【図４】プロジェクタの設定情報を設定する処理の流れを示すフローチャートである。
【図５】各プロジェクタおよびそれらの投写映像を表す模式図である。
【図６】各プロジェクタが記憶している照度情報の説明図である。
【図７】色むら調整処理の流れを示すフローチャートである。
【符号の説明】
【００４６】
１…プロジェクタ設定システム  １０・・・プロジェクタ  ２０・・・投写部  ２１・・・液晶パネル  ３０…制御部  ３１・・・メインＣＰＵ  ３２・・・ＲＯＭ  ３４・・・サブＣＰＵ  ５０・・・制御装置  ５３・・・ＣＰＵ  ５７・・・ハードディスク  ５９・・・プロジェクタ設定プログラム
【図１】
2007226052.tif 000003
【図２】
2007226052.tif 000004
【図３】
2007226052.tif 000005
【図４】
2007226052.tif 000006
【図５】
2007226052.tif 000007
【図６】
2007226052.tif 000008
【図７】
2007226052.tif 000009